(57)【特許請求の範囲】
【請求項１】
法面(1)に施工した格子状の法枠(2)の内部に紙製のプレート(7)を仕切体とすると共に、そのプレートに穴(8)をあけて各小室とし、法枠内に配置した支受体(9)で前記穴付きプレートを所定の高さ(h′)に確保した法枠工枠内の緑化装置。
【発明の詳細な説明】
【０００１】
【産業上の利用分野】
本発明は法枠工枠内の緑化工法及びその緑化装置に関するもので、コンクリート材料を吹き付けて格子状に成形した法枠工の中を複数に区切って、その各小室に播種又は植栽を行うことにより、法枠内全体を略均一に緑化を図ることを目的とする。
【０００２】
【従来の技術】
一般にこの種の従来工法は、地山及び立地条件等で生育基盤の吹付け厚さを設定して施工し、枠の寸法に関係なく、厚さが５ｃｍ程度の吹付けが多く施工されている。
【０００３】
【発明が解決しようとする課題】
ところが、上記の施工法にあっては、法枠の寸法に比較して枠内の生育基盤層が薄いため横梁の下部、すなわち法枠内の上部は横梁が妨げとなり、雨水の恩恵を受けられずに生育基盤が乾燥して生育不良及び滑落が生じていた。
そこで、上記の従来工法の改善方法として、枠の寸法に応じた厚い生育基盤を造成し、枠内全体で植物が生育できるように、また厚く造成した生育基盤が滑落しないようプレートや網製の仕切板をアンカーで固定し、枠内に仕切棚を設置して全面緑化を図っている。
しかしながら、金属製の仕切り棚は、分解しにくい上に高価であり、またアンカーの固定に多くの労力を必要とする、という課題がある。
【０００４】
【課題を解決しようとする手段】
そこで本発明は、発明の目的を達成し、且つ従来技術の課題を解決するために提供するものである。
本発明の第１は法枠工枠内の緑化工法において、法面に施工した格子状の法枠内に位置する紙製を可とする非金属製仕切体の複数の小室に客土を詰めて播種又は植栽を施したものである。
【０００５】
本発明の第２は法枠工枠内の緑化工法において、地山法面に複数の小室を有する紙製仕切体を縦横に格子状に設置し、その隣合う仕切体間の格子状溝にコンクリート材料を吹付けて格子状の法枠を成形し、前記仕切体の小室に客土を詰めて播種又は植栽を施したものである。
【０００６】
本発明の第３は法枠工枠内の緑化装置において、法面に施工した格子状の法枠の内部に位置する紙製を可とする非金属製仕切体に複数の小室を形成し、前記各小室に客土を詰めて播種又は植栽を施した植栽用ポットを収容したものである。
【０００７】
本発明の第４は第３の発明に係る法枠工枠内の緑化装置において、紙製のプレートを仕切体とすると共に、そのプレートに穴をあけて各小室とし、法枠内に配置した支受体で前記穴付きプレートを所定の高さに確保したものである。
【０００８】
本発明の第５は第３の発明に係る法枠工枠内の緑化装置において、紙製のプレートを仕切体とすると共に、そのプレートに所定の高さを有する凹部を形成し、且つその底部に水抜き孔をあけて各小室とし、その凹部に客土を詰めて播種又は植栽を施したものである。
【０００９】
【実施例】
以下、本発明の法枠工枠内の緑化装置の実施例を図面を以て説明する。
１は法面、２はコンクリート材料を吹き付けて縦横に梁を成形した格子状の法枠、３は複数の小室３ｌ〜３ｎを有する仕切体であり、図１〜図３にあっては、高さｈの半分にスリット４を入れた２枚の板体を、そのスリット同士を向き合わせて上下から差し込んで十字状に交差して組み立て、これを縦横に配列して格子状の溝Ｄを成形し、法面１に縦横に配置して格子状に設置する。なお、前記仕切体の設置手段としては、竹串その他のアンカーピンＰで仕切体小室の板体の頂部を掛止するか、仕切体小室の側面を掛止する手段がある。
また、前記の仕切体３の材質は、紙製又はプラスチック製等の非金属材を可とするが、比較的厚手で腰の強い加工古紙を用いると、期間の経過により腐熟して土に同化する。そして当該古紙は、例えば再生紙を生分解性で耐水性の段ボールを用いるのが好適である。
そして、前記の仕切体の外周には法枠吹付時の吹付材料が仕切体内に流入するのを防止するための支受プレート３′を取付けることを可とする。
なお、従来の法枠工法にあっては、格子状に設置した型枠内にコンクリート吹付工によって法枠２を成形し、その法枠２内に仕切体３をはめ込むようにしてある。
【００１０】
図４にあっては、比較的腰が強くて厚手の紙製プレート７に大きめの穴８を多数あけて、そのプレートが仕切体と同じ役割をし、且つその穴が各小室の役割を成し、底部５１に水抜き孔５３を有する植栽用ポット５を前記の穴８に落とし込むように収容したものを示してある。
９は紙製プレート７の外周縁辺その他適宜の個所を所定の高さｈ′で支受する当該紙製プレートと同材の支受体である。この場合、支受体９の高さｈ′は法枠２の高さＨと同じか、またはその法枠２の高さＨより多少低く設定したものを示してある。
【００１１】
図５及び図６において、５は仕切体３の小室３１〜３ｎに収容するための植栽用ポットであり、開口部５１から底部５１にかけて細径になる植木鉢状とし、底部に水抜き孔５３をあけてある。そして、当該ポットに客土６を詰めてこれに播種又はつる類植物その他の植栽１６を施す。なお、植栽用ポットの材料は仕切体と同材質を可とし、具体的には、再生紙を生分解性で耐水性の段ボールを用いて加工するものである。
【００１２】
図７及び図８にあっては、紙製のプレート７′に所定の高さｈ″を有する有底凹部１０を多数成形して仕切体と同じ役割をし、且つその凹部を小室と同じ役割を成し、底部１０１に水抜き孔１１をあけてある。
１２は植栽用ポット５の胴回りに巻いた不織布製の植栽マット、１３は植栽用ポットの開口部５２を塞ぐ蓋体であり、植栽用の孔１４とこれに連続するスリット１５が形成されている。図中Ｓは法枠吹付時に仕切体内部にリバウンド処理を行うために仕切体の開口平面を覆蔽するためのシート体である。
【００１３】
【具体的な施工例】
上記の実施例に基づく具体的な施工例は以下のとおりである。すなわち、第１の施工法として、施工しようとする法面に本発明に係る仕切体を縦横に設置して格子状の凹溝Ｄを形成し、その凹溝Ｄにコンクリート材料を吹付けて法枠２を成形する工法がある。
第２の在来施工法として法面１に公知の工法で型枠材を格子状に施工し、これにコンクリート材料を吹付けて法枠工を成形し、その法枠の硬化を待って型枠材を取り除く工法もある。
【００１４】
「施工例１」（図１〜図３）
第１の施工法として、地山の法面１に仕切体３を縦横に格子状に配列し、且つ竹串等で作ったアンカーピンＰで掛止して設置し、且つその仕切体の平面をシートＳで覆蔽しておき、その設置した隣合う仕切体同士の格子状の凹溝Ｄにコンクリート材料を吹付けて法枠２を成形する。この場合、吹付けたコンクリート材料が硬化するまでは、特に横梁の下辺側の荷重が仕切体３に掛かるが、設置した仕切体及びその上辺部位の支受プレート３′によってその荷重を支受する。
コンクリート材料の吹付けが終了後、仕切体３の平面に被せてあるシート体Ｓを取り去り、仕切体３の各小室３１〜３ｎに図５・図６に示す植栽用ポット５を収容する。
前記植栽用ポットには、予め播種又はつる類植物その他の植栽１６をしておくか、又は前記小室内に収容してから播種又は植栽することもできる。
また、前記の小室に植栽ポット５を収容しない場合は、そのポットを収容していない小室に客土６を充填しておくものとする。
第２の在来施工法によって法面１に成形した法枠２内に、その法枠内の寸法に応じて仕切体３の縦横の全体を切断して合わせておき、あとは第１の施工法と同じように所定の高さｈを有する仕切体３を落とし込むように設置し、複数の小室３１〜３ｎに図５・図６に示す植栽用ポット５を収容する。そして、前記の小室に植栽ポット５を収容しない場合は、その小室に客土６を充填しておく。
【００１５】
「施工例２」（図４）
多数の穴８を開けた紙製プレート７を所定の高さｈ′を確保する支受体９の上に乗せ、あとは施工例１と同じ工法で法枠２を成形し、前記の穴８に植栽用ポット５を落とし込んで収容する。この場合も、施工例１と同じく植栽用ポット５には、あらかじめ播種又は植栽１６をするか、または小室内に収容してから播種又は植栽することもできる。
この場合、仕切体の穴８の全部に植栽ポット５を収容しない場合には、その収容しない穴８から内部に客土６を供給し、植栽ポット５を残して法枠内に充填するものとする。
【００１６】
「施工例３」（図７及び図８）
所定の高さｈ″を有する凹部１０を多数成形加工した紙製プレート７′を法面１に設置し、あとは施工例１と同じ工法で法枠２を成形し、前記仕切体の凹部１０に客土６を充填して播種又は植栽１６をする。この場合、在来の法枠工によって成形した法枠にあっては、あらかじめ凹部１０に客土６を詰め、播種又は植栽したプレート７′を法枠内に収容する手段も可能である。
【００１７】
【発明の効果】
本発明は上記の構成であるから、紙製の仕切体は法面勾配に応じて小室を形成するための仕切り間隔を狭く若しくは広く調整でき、且つ法面の形状に合わせて容易に切断加工することもできる。
また、仕切体の組立ては、あらかじめ法枠の寸法に応じて加工してあるため、十字状に組み立てた仕切体を展開し、簡単な操作で設置することができる。これによって、上位の横梁の直下位が日陰となる度合いが少なくなり、その直下に位置する小室の植栽も確実に生育し、法枠内及び法面全体の緑化が諮れる。
次いで、コンクリート吹付材料を吹付けた後は、仕切体が法枠の枠内に設置した状態となり、これが横梁を受ける補強材となり、法枠成形のためのコンクリート吹付け時の梁のたるみ等の変形防止効果が期待できる。しかも、仕切体の外周側面に支受プレートを取付けたことによって、硬化前の横梁の荷重を面で支受することになり、その変形防止効果が増大する。
さらに、仕切体の各小室は平面の開口面にシートを張ることにより、法枠成形のためのコンクリート吹付時に法枠内にコンクリートが付着することなく、さらに吹付時における吹付材料のはね返り等のリバウンドの処理も容易である。
そして、法枠内が細かく区切られていることにより、紙製の植栽用ポットを収容して播種又は植栽により法枠内全体に亘って均一の緑化が可能である。
急勾配の法面に吹付工法以外の客土工で充填ができるため経済的である。
シート体に多数の凹部を形成することにより別途に植栽用ポットを用意しなくてもその凹部に客土を詰めてこれに直接播種又は植栽をすることができる。
前記の植栽用ポット及びプレートの凹部への客土の充填及び播種又は植栽は現地調達のほか、予め工場生産することができて効率的である。
【図面の簡単な説明】
【図１】  本発明に係る法枠工枠内の緑化装置を施した平面図である。
【図２】  図１の縦断側面図である。
【図３】  仕切体の一部を示す拡大斜視図である。
【図４】  植栽用ポット収容穴を有するプレートの斜視図である。
【図５】  植栽用ポットの斜視図である。
【図６】  図５の植栽用ポットの拡大縦断図である。
【図７】  複数の播種又は植栽用凹部を形成したプレートの平面図である。
【図８】  図７の一部の斜視図である。
【符号の説明】
１    法面
２    法枠
３    仕切体
４    スリット
５    植栽用ポット
６    客土
７    プレート
８    植栽ポット収容穴
９    穴付きプレートの支受体
１０    有底凹部
１１    水抜き孔
１２    植栽マット
【図１】
0003851470.tif 000002
【図２】
0003851470.tif 000003
【図３】
0003851470.tif 000004
【図４】
0003851470.tif 000005
【図５】
0003851470.tif 000006
【図６】
0003851470.tif 000007
【図７】
0003851470.tif 000008
【図８】
0003851470.tif 000009